(57)【要約】  映像音響装置は、映像を表示する表示部と、映像に対応した音声を発生する音声出力面を有する、１または複数のメインスピーカおよび複数のサブスピーカとを備えている。複数のサブスピーカのうちの少なくとも１つにおける音声出力面が、メインスピーカにおける音声出力面と比べて表示部の外側に向けて傾斜するように配置されている。
2014002640.tif 000002
【特許請求の範囲】
【請求項１】
映像を表示する表示部と、
前記映像に対応した音声を発生する音声出力面を有する、１または複数のメインスピーカおよび複数のサブスピーカと
を備え、
前記複数のサブスピーカのうちの少なくとも１つにおける前記音声出力面が、前記メインスピーカにおける前記音声出力面と比べて前記表示部の外側に向けて傾斜するように配置されている
映像音響装置。
【請求項２】
前記メインスピーカと前記サブスピーカとが、互いに異種同士の音声信号に基づいてそれぞれ音声を発生する
請求項１に記載の映像音響装置。
【請求項３】
前記メインスピーカは、メイン音声信号に基づいて音声を発生し、
前記サブスピーカは、サラウンド音声信号に基づいて音声を発生する
請求項２に記載の映像音響装置。
【請求項４】
入力音声信号に基づいて前記メイン音声信号および前記サラウンド音声信号をそれぞれ生成する音声信号処理部を備え、
前記音声信号処理部は、
前記入力音声信号に基づいて、基礎メイン音声信号および前記サラウンド音声信号をそれぞれ生成すると共に、
前記基礎メイン音声信号に対し、前記サラウンド音声信号成分を部分的に加算することにより、前記メイン音声信号を生成する
請求項３に記載の映像音響装置。
【請求項５】
前記音声信号処理部は、前記メインスピーカと前記サブスピーカとの間の音量感バランスを調整するための調整係数を用いて、前記サラウンド音声信号成分の部分的加算を行う
請求項４に記載の映像音響装置。
【請求項６】
前記メインスピーカと前記サブスピーカとが、互いに同種の音声信号に基づいてそれぞれ音声を発生する
請求項１に記載の映像音響装置。
【請求項７】
前記メインスピーカおよび前記サブスピーカがともに、メイン音声信号に基づいて音声を発生する
請求項６に記載の映像音響装置。
【請求項８】
前記メインスピーカおよび前記サブスピーカのうちの少なくとも一方についての周波数特性を平坦化する補正を行う周波数特性補正部を備えた
請求項１に記載の映像音響装置。
【請求項９】
前記メインスピーカと前記サブスピーカとが、相対的に前後配置されており、
前記前後配置に起因した、前記メインスピーカと前記サブスピーカとの間での音声伝播時の遅延差を減少させる補正を行う遅延補正部を備えた
請求項１に記載の映像音響装置。
【請求項１０】
前記遅延補正部の前段側に、所定のフィルタが配設されており、
前記遅延補正部は、前記フィルタに起因した音声伝播時の遅延差も考慮して補正を行う
請求項９に記載の映像音響装置。
【請求項１１】
前記１または複数のメインスピーカのうちの少なくとも１つにおける前記音声出力面が、前記表示部の内側に向けて傾斜するように配置されている
請求項１に記載の映像音響装置。
【請求項１２】
前記メインスピーカおよび前記サブスピーカのうちの少なくとも一方における傾斜角が、任意に調整可能となっている
請求項１１に記載の映像音響装置。
【請求項１３】
前記サブスピーカにおける傾斜角が、任意に調整可能となっている
請求項１に記載の映像音響装置。
【請求項１４】
ユーザによる操作に応じて入力された制御信号、または、ユーザの位置に応じて動的に生成された制御信号に基づいて、前記傾斜角が調整される
請求項１２に記載の映像音響装置。
【請求項１５】
前記サブスピーカは、前記メインスピーカよりも小さい
請求項１に記載の映像音響装置。
【請求項１６】
前記メインスピーカにおける音声発生帯域は、低周波領域から高周波領域に亘る周波数帯域であり、
前記サブスピーカにおける音声発生帯域は、中低周波領域から高周波領域に亘る周波数帯域である
請求項１５に記載の映像音響装置。
【請求項１７】
前記メインスピーカおよび前記サブスピーカはともに、前記表示部の右側および左側にそれぞれ配置されており、
前記右側に配置された前記サブスピーカおよび前記左側に配置された前記サブスピーカがいずれも、前記音声出力面が前記表示部の外側に向けて傾斜するように配置されている
請求項１に記載の映像音響装置。
【請求項１８】
前記表示部、前記メインスピーカおよび前記サブスピーカをそれぞれ収容する筺体を備えた
請求項１に記載の映像音響装置。
【発明の詳細な説明】
【技術分野】
【０００１】
本開示は、映像を表示するとともに音声を発生する映像音響装置に関する。
【背景技術】
【０００２】
ＴＶ装置（テレビ受像機）やホームシアターセットなどの映像音響装置（映像音声出力装置）には、左チャンネル用スピーカおよび右チャンネル用スピーカに加え、サラウンド用スピーカなどを設けたものがある。このような映像音響装置では、多くのスピーカを設けることにより、音像の定位位置を制御することができるようになり、臨場感が大きく向上する。ここで、音像の定位位置とは、視聴者が感じる仮想的な音源の位置である。【０００３】
ここで、例えば特許文献１，２には、多くのスピーカを設けるとともに、用途に応じて各スピーカの配置を自在に変えることができるようにしたＴＶ装置が提案されている。
【先行技術文献】
【特許文献】
【０００４】
【特許文献１】特開２００７−３１８３０１号公報
【特許文献２】特開２００６−１０９２４１号公報
【発明の概要】
【０００５】
ところで、このような映像音響装置では一般に、臨場感の更なる向上が求められており、そのような臨場感を効果的に得ることを可能とする映像音響装置の提案が望まれている。
【０００６】
したがって、臨場感を効果的に得ることを可能とする映像音響装置を提供することが望ましい。
【０００７】
本開示の一実施の形態の映像音響置は、映像を表示する表示部と、映像に対応した音声を発生する音声出力面を有する、１または複数のメインスピーカおよび複数のサブスピーカとを備えたものである。複数のサブスピーカのうちの少なくとも１つにおける音声出力面が、メインスピーカにおける音声出力面と比べて表示部の外側に向けて傾斜するように配置されている。
【０００８】
本開示の一実施の形態の映像音響装置では、複数のサブスピーカのうちの少なくとも１つにおける音声出力面が、メインスピーカにおける音声出力面と比べ、表示部の外側に向けて傾斜するように配置されている。これにより、例えば、各サブスピーカにおける音声出力面とメインスピーカにおける音声出力面とが揃う（互いに平行となる）ように配置されている場合と比べ、臨場感が得られる視聴領域が広くなる。
【０００９】
本開示の一実施の形態の映像音響装置によれば、複数のサブスピーカのうちの少なくとも１つにおける音声出力面を、メインスピーカにおける音声出力面と比べて表示部の外側に向けて傾斜するように配置したので、臨場感が得られる視聴領域を広げることができ、臨場感を効果的に得ることが可能となる。
【図面の簡単な説明】
【００１０】
【図１】本開示の一実施の形態に係る映像音響装置の外観構成例を表す模式図である。
【図２】図１に示した各スピーカの配置構成例を表す模式図である。
【図３】図２に示した各スピーカの配置構成を上面側から示した模式図である。
【図４】図２および図３に示した各スピーカの配置構成を詳細に示す模式斜視図である。
【図５】図１に示した映像音響装置の詳細構成例を表すブロック図である。
【図６】比較例に係る映像音響装置の構成を表す模式斜視図である。
【図７】メインスピーカに関する周波数特性補正用のパラメータを設定するための測定手法例を表す模式図である。
【図８】サブスピーカに関する周波数特性補正用のパラメータを設定するための測定手法例を表す模式図である。
【図９Ａ】メインスピーカに関する周波数特性補正の一例（補正前）を表す特性図である。
【図９Ｂ】メインスピーカに関する周波数特性補正の一例（補正後）を表す特性図である。
【図１０Ａ】サブスピーカに関する周波数特性補正の一例（補正前）を表す特性図である。
【図１０Ｂ】サブスピーカに関する周波数特性補正の一例（補正後）を表す特性図である。
【図１１】遅延補正用のパラメータを設定するための測定手法例を表す模式図である。
【図１２Ａ】遅延補正の一例（補正前）を表すタイミング図である。
【図１２Ｂ】遅延補正の一例（補正後）を表すタイミング図である。
【図１３】変形例１に係る映像音響装置の構成例を表す模式斜視図である。
【図１４】図１３に示した各スピーカの配置構成を上面側から示した模式図である。
【図１５】変形例２に係る映像音響装置の構成例を表す模式図である。
【図１６】変形例２に係る映像音響装置の他の構成例を表す模式図である。
【図１７】変形例３に係る映像音響装置の構成例を表すブロック図である。
【図１８】変形例４に係る映像音響装置の構成例を表すブロック図である。
【図１９】変形例５に係る映像音響装置の構成例を表すブロック図である。
【図２０】変形例６に係る映像音響装置の構成例を表す模式図である。
【図２１】変形例６に係る映像音響装置の他の構成例を表す模式図である。
【発明を実施するための形態】
【００１１】
以下、本開示の実施の形態について、図面を参照して詳細に説明する。なお、説明は以下の順序で行う。
１．実施の形態（サブスピーカの音声出力面を表示部の外側に傾斜させた例）
２．変形例
変形例１（更にメインスピーカの音声出力面を表示部の内側に傾斜させた例）
変形例２（メインスピーカとサブスピーカとの相対的配置に関する他の例）
変形例３（２チャンネルの音声信号が入力される場合の例）
変形例４（サラウンド音声信号成分を部分的に加算せずに音声信号処理を行う例）
変形例５（サブスピーカにメインスピーカと同種の信号を供給するようにした例）
変形例６（メインスピーカおよびサブスピーカの個数に関する他の例）
その他の変形例
【００１２】
＜実施の形態＞
［映像音響装置１の構成］
図１は、本開示の一実施の形態に係る映像音響装置１の外観構成例を模式的に表したものである。この映像音響装置１は、映像を表示するとともに音声を発生する装置であり、ここではテレビ受像機（ＴＶ装置）として構成されている。映像音響装置１は、表示部１１、２つのメインスピーカ１２１Ｌ，１２１Ｒ、２つのサブスピーカ１２２Ｌ，１２２Ｒおよび筺体１０を備えている。
【００１３】
筺体１０は、表示部１１、メインスピーカ１２１Ｌ，１２１Ｒおよびサブスピーカ１２２Ｌ，１２２Ｒ等をそれぞれ収容する外装部材である。つまり、この映像音響装置１では、各スピーカ（メインスピーカ１２１Ｌ，１２１Ｒおよびサブスピーカ１２２Ｌ，１２２Ｒ）が、装置内（筺体１０内）に内蔵されるようになっている。
【００１４】
表示部１１は、映像信号に基づいて映像表示を行う表示パネルであり、例えば、液晶素子や有機電界発光素子（有機ＥＬ（Electro Luminescence）素子）等の各種方式の表示素子を用いて構成されている。具体的には、表示部１１では、このような複数の表示素子がマトリクス状に配置されている。また、表示部１１は、ここでは、Ｘ軸方向を長軸方向とすると共にＹ軸方向を短軸方向とする異方性形状（矩形状）となっている。
【００１５】
（メインスピーカ１２１Ｌ，１２１Ｒ）
メインスピーカ１２１Ｌは、表示部１１の左側（ユーザ側から見て左側）に配置され、メインスピーカ１２１Ｒは、表示部１１の右側（ユーザ側から見て右側）に配置されている。これらのメインスピーカ１２１Ｌ，１２１Ｒはそれぞれ、表示部１１において表示されている映像に対応した音声を発生（出力）する音声出力面を有しており、ここでは後述するように、メイン音声信号に基づいて音声を発生するようになっている。また、これらのメインスピーカ１２１Ｌ，１２１Ｒにおける音声発生帯域（音声再生帯域）は、低周波領域（低域）から高周波領域（高域）に亘る周波数帯域（例えば、８０Ｈｚ〜２０ｋＨｚ程度）となっており、広範な周波数帯域をカバーするようになっている。
【００１６】
（サブスピーカ１２２Ｌ，１２２Ｒ）
サブスピーカ１２２Ｌは、表示部１１の左側に配置され、メインスピーカ１２２Ｒは、表示部１１の右側に配置されている。これらのサブスピーカ１２２Ｌ，１２２Ｒはそれぞれ、メインスピーカ１２１Ｌ，１２１Ｒよりも小さくなっており（小型化されており）、補助的（付加的）なスピーカとして機能するものである。サブスピーカ１２２Ｌ，１２２Ｒもまた、表示部１１において表示されている映像に対応した音声を発生する音声出力面を有しており、ここでは後述するように、サラウンド音声信号に基づいて（サラウンド音声信号を主成分とする）音声を発生する。つまり、ここでは、メインスピーカ１２１Ｌ，１２１Ｒとサブスピーカ１２２Ｌ，１２２Ｒとが、互いに異種同士の音声信号に基づいてそれぞれ音声を発生するようになっている。また、これらのサブスピーカ１２２Ｌ，１２２Ｒにおける音声発生帯域は、中低周波領域（中低域）から高周波領域に亘る周波数帯域（例えば、４００Ｈｚ〜２０ｋＨｚ程度、あるいは２００Ｈｚ〜２０ｋＨｚ程度）となっており、中低域から高域をカバーするようになっている。
【００１７】
［各スピーカの配置構成例］
続いて、図２〜図４を参照して、これらのメインスピーカ１２１Ｌ，１２１Ｒおよびサブスピーカ１２２Ｌ，１２２Ｒの配置構成例について説明する。図２は、筺体１０内における各スピーカの配置構成例を、Ｘ−Ｙ平面上で模式的に表したものである。図３は、図２に示した各スピーカの配置構成を、上面側から（Ｙ軸上の正方向に沿って）模式的に示したものである。図４は、図２および図３に示した各スピーカの配置構成を、模式斜視図で詳細に示したものである。
【００１８】
なお、図３および図４において、Ｓ１は表示部１１の表示面（Ｘ−Ｙ平面）を表し、Ｓ２１（Ｌ），Ｓ２１（Ｒ），Ｓ２２（Ｌ），Ｓ２２（Ｒ）はそれぞれ、メインスピーカ１２１Ｌ，１２１Ｒおよびサブスピーカ１２２Ｌ，１２２Ｒにおける音声出力面を表している。また、Ｌ１は表示面Ｓ１の法線（Ｚ軸方向）を表し、Ｌ２１（Ｌ），Ｌ２１（Ｒ），Ｌ２２（Ｌ），Ｌ２２（Ｒ）はそれぞれ、各音声出力面Ｓ２１（Ｌ），Ｓ２１（Ｒ），Ｓ２２（Ｌ），Ｓ２２（Ｒ）における法線（軸線）を表している。これらの点は、以降の他の図面においても同様である。
【００１９】
まず、メインスピーカ１２１Ｌ，１２１Ｒはそれぞれ、図３に示したように、表示部１１のＹ軸に沿った側面方向（左側および右側）に配置されている。また、これらのメインスピーカ１２１Ｌ，１２１Ｒにおける音声出力面Ｓ２１（Ｌ），Ｓ２１（Ｒ）はいずれも、表示面Ｓ１と平行な面（Ｘ−Ｙ平面）となっており、映像音響装置１の正面方向を向いている。いる。言い換えると、表示面Ｓ１の法線Ｌ１と、音声出力面Ｓ２１（Ｌ），Ｓ２１（Ｒ）における法線Ｌ２１（Ｌ），Ｌ２１（Ｒ）とが、互いに平行となっている（いずれもＺ軸方向となっている）。
【００２０】
一方、サブスピーカ１２２Ｌ，１２２Ｒもそれぞれ、図３に示したように、表示部１１のＹ軸に沿った側面方向（左側および右側）に配置されている。また、ここでは図４に示したように、サブスピーカ１２２Ｌがメインスピーカ１２１Ｌの上側（Ｙ軸に沿った正方向側）に配置されるとともに、サブスピーカ１２２Ｒがメインスピーカ１２１Ｒの上側に配置されている。ただし、ここでは図３に示したように、メインスピーカ１２１Ｌ，１２１Ｒとサブスピーカ１２２Ｌ，１２２Ｒとが、相対的に前後となるように配置されている。つまり、ここでは、サブスピーカ１２２Ｌ，１２２Ｒがそれぞれ、メインスピーカ１２１Ｌ，１２１Ｒと比べ、距離（相対距離）ｄ１の分だけＺ軸に沿って背面側（Ｚ軸に沿って負方向側）に配置されている。
【００２１】
また、本実施の形態では、図３に示したように、これらのサブスピーカ１２２Ｌ，１２２Ｒにおける音声出力面Ｓ２２（Ｌ），Ｓ２２（Ｒ）がいずれも、メインスピーカ１２１Ｌ，１２１Ｒにおける音声出力面Ｓ２１（Ｌ），Ｓ２１（Ｒ）と比べ、表示部１１の外側に向けて傾斜するように配置されている。つまり、ここでは上記したように、音声出力面Ｓ２１（Ｌ），Ｓ２１（Ｒ）および表示面Ｓ１がそれぞれ映像音響装置１の正面方向を向いているのに対し、音声出力面Ｓ２２（Ｌ），Ｓ２２（Ｒ）はそれぞれ、Ｚ軸を回転軸として表示部１１の外側（左側および右側）に若干回転した配置となっている（図４参照）。詳細には、図４に示したように、音声出力面Ｓ２２（Ｌ）の法線Ｌ２２（Ｌ）が、音声出力面Ｓ２１（Ｌ）の法線Ｌ２１（Ｌ）（Ｚ軸方向）と比べ、Ｚ−Ｘ平面内で表示部１１の外側（左側）に向けて傾斜角θ２Ｌの分だけ傾斜している。同様に、音声出力面Ｓ２２（Ｒ）の法線Ｌ２２（Ｒ）が、音声出力面Ｓ２１（Ｒ）の法線Ｌ２１（Ｒ）（Ｚ軸方向）と比べ、Ｚ−Ｘ平面内で表示部１１の外側（右側）に向けて傾斜角θ２Ｒの分だけ傾斜している。
【００２２】
なお、このような傾斜角θ２Ｌ，θ２Ｒはそれぞれ、例えば１０°程度に設定されているのが望ましいが、これらの傾斜角θ２Ｌ，θ２Ｒが、互いに独立して任意に調整可能となっているようにしてもよい。具体的には、例えば、ユーザによる操作（リモートコントロール装置等を用いた手動操作）に応じて映像音響装置１に入力された制御信号や、ユーザの位置（検出された視聴位置）に応じて動的に（自動で）生成された制御信号に基づいて、傾斜角θ２Ｌ，θ２Ｒがそれぞれ調整されるようにしてもよい。
【００２３】
［映像音響装置１のブロック構成］
続いて、図５は、このような映像音響装置１のブロック構成例を表したものである。映像音響装置１は、例えば、筐体１０内に、これまで説明した表示部１１、メインスピーカ１２１Ｌ，１２１Ｒおよびサブスピーカ１２２Ｌ，１２２Ｒを収容するとともに、以下説明する映像信号処理部１３、表示駆動部１４および音声信号処理部１５を有している。また、音声信号処理部１５と、メインスピーカ１２１Ｌ，１２１Ｒおよびサブスピーカ１２２Ｌ，１２２Ｒとの間の各経路上には、図示しないアンプおよびアナログフィルタがそれぞれ、音声信号処理部１５側からこの順に設けられている。
【００２４】
なお、ここでは、音声信号処理部１５に対して、図示しない音源から５．１チャンネルの音声信号（入力音声信号Ｌin，Ｒin，Ｃin，ＳＬin，ＳＲin）が入力されるとともに、映像信号処理部１３に対して、図示しない映像源から入力映像信号Ｖinが入力される場合を例として説明する。また、入力音声信号Ｌinは左チャンネル用信号を、入力音声信号Ｒinは右チャンネル用信号を、入力音声信号Ｃinはセンターチャンネル用信号を、入力音声信号ＲＬinはサラウンド左チャンネル用信号を、入力音声信号ＳＲinはサラウンド右チャンネル用信号を、それぞれ表している。
【００２５】
映像信号処理部１３は、入力映像信号Ｖinに対して、例えばガンマ変換処理、エッジ強調処理、コントラスト改善処理、動画ボケ改善処理等の各種の映像信号処理を行い、そのような映像信号処理後の出力映像信号Ｖoutを生成し出力するものである。
【００２６】
表示駆動部１４は、このようにして生成された出力映像信号Ｖoutに基づいて、表示部１１に対する表示駆動を行うものである。
【００２７】
（音声信号処理部１５）
音声信号処理部１５は、入力音声信号Ｌin，Ｒin，Ｃin，ＳＬin，ＳＲinに基づいて、前述したメイン音声信号およびサラウンド音声信号をそれぞれ生成するものである。具体的には、メインスピーカ１２１Ｌ，１２１Ｒおよびサブスピーカ１２２Ｌ，１２２Ｒへそれぞれ供給する出力音声信号Ｌ１out，Ｒ１out，Ｌ２out，Ｒ２outを生成する。この音声信号処理部１５は、サラウンド信号処理部１５１、減衰器（アッテネータ）１５２Ｌ１，１５２Ｌ２，１５２Ｒ１，１５２Ｒ２，１５２Ｃ，１５２Ｌ１２，１５２Ｒ１２および加算器１５３Ｌ，１５３Ｒ，１５４Ｌ，１５４Ｒを有している。音声信号処理部１５はまた、周波数特性補正部１５５Ｌ１，１５５Ｌ２，１５５Ｒ１，１５５Ｒ２および遅延補正部１５６Ｌ１，１５６Ｒ１を有している。
【００２８】
サラウンド信号生成処理部１５１は、入力音声信号Ｌin，Ｒin，Ｃin，ＳＬin，ＳＲinに基づいて所定の信号処理を行うことにより、サラウンド音声信号である音声信号Ｌ２，Ｒ２をそれぞれ生成するものである。
【００２９】
減衰器１５２Ｌ１は、所定のダウンミックス係数Ｋｆを用いて、入力音声信号Ｌinのアッテネーション（Ｌin×Ｋｆ）を行うものである。同様に、減衰器１５２Ｒ１は、所定のダウンミックス係数Ｋｆを用いて、入力音声信号Ｒinのアッテネーション（Ｒin×Ｋｆ）を行うものである。減衰器１５２Ｃは、所定のダウンミックス係数Ｋｃを用いて、入力音声信号Ｃinのアッテネーション（Ｃin×Ｋｃ）を行うものである。
【００３０】
減衰器１５２Ｌ２は、所定の乗算係数（アッテネーション係数）Ｋｓを用いて、サラウンド信号生成処理部１５１から出力される音声信号Ｌ２のアッテネーション（Ｌ２×Ｋｓ）を行うものである。同様に、減衰器１５２Ｒ２は、所定の乗算係数Ｋｓを用いて、サラウンド信号生成処理部１５１から出力される音声信号Ｒ２のアッテネーション（Ｒ２×Ｋｓ）を行うものである。
【００３１】
減衰器１５２Ｌ１２は、所定のダウンミックス係数（Ｋｒ−α×Ｋｓ）を用いて、サラウンド信号生成処理部１５１から出力される音声信号Ｌ２のアッテネーション（Ｌ２×（Ｋｒ−α×Ｋｓ））を行うものである。同様に、減衰器１５２Ｒ１２は、所定のダウンミックス係数（Ｋｒ−α×Ｋｓ）を用いて、サラウンド信号生成処理部１５１から出力される音声信号Ｒ２のアッテネーション（Ｒ２×（Ｋｒ−α×Ｋｓ））を行うものである。ここで、このときの係数（調整係数）αは、メインスピーカ１２１Ｌ，１２１Ｒとサブスピーカ１２２Ｌ，１２２Ｒとの間の音量感バランスを調整するための係数である。具体的には、これらのスピーカ全体でのトータルのサラウンド成分の音量感が、一般的な２チャンネルのスピーカを用いた場合とほぼ同等となるように（大きく変わらないように）、調整係数αの値が設定されている。換言すると、Ｋｒから（α×Ｋｓ）の分だけ差し引いた割合でアッテネーションが行われることで、サラウンド成分が過剰となるのが防止されるようになっている。
【００３２】
加算器１５３Ｌは、減衰器１５２Ｌ１から出力される音声信号と、減衰器１５２Ｃから出力される音声信号とを加算することにより、音声信号Ｌ０（基礎メイン音声信号）を生成するものである。加算器１５３Ｒは、減衰器１５２Ｒ１から出力される音声信号と、減衰器１５２Ｃから出力される音声信号とを加算することにより、音声信号Ｒ０（基礎メイン音声信号）を生成するものである。
【００３３】
加算器１５４Ｌは、加算器１５３Ｌから出力される音声信号Ｌ０と、減衰器１５２Ｌ１２から出力される音声信号とを加算することにより、メイン音声信号である音声信号Ｌ１を生成するものである。加算器１５４Ｒは、加算器１５３Ｒから出力される音声信号Ｒ０と、減衰器１５２Ｒ１２から出力される音声信号とを加算することにより、メイン音声信号である音声信号Ｒ１を生成するものである。
【００３４】
周波数特性補正部１５５Ｌ１，１５５Ｌ２，１５５Ｒ１，１５５Ｒ２はそれぞれ、メインスピーカ１２１Ｌ，１２１Ｒまたはサブスピーカ１２２Ｌ，１２２Ｒについての周波数特性を平坦化する補正（周波数特性補正）を行うものである。具体的には、周波数特性補正部１５５Ｌ１は、加算器１５４Ｌから出力される音声信号Ｌ１に対してそのような補正を行うことにより、メインスピーカ１２１Ｌについての周波数特性補正を行う。同様に、周波数特性補正部１５５Ｒ１は、加算器１５４Ｒから出力される音声信号Ｒ１に対してそのような補正を行うことにより、メインスピーカ１２１Ｒについての周波数特性補正を行う。また、周波数特性補正部１５５Ｌ２は、減衰器１５２Ｌ２から出力される音声信号に対してそのような補正を行うことにより、サブスピーカ１２２Ｌについての周波数特性補正を行い、このサブスピーカ１２２Ｌへ供給するサラウンド音声信号としての出力音声信号Ｌ２outを生成する。同様に、周波数特性補正部１５５Ｒ２は、減衰器１５２Ｒ２から出力される音声信号に対してそのような補正を行うことにより、サブスピーカ１２２Ｒについての周波数特性補正を行い、このサブスピーカ１２２Ｒへ供給するサラウンド音声信号としての出力音声信号Ｒ２outを生成する。このような周波数特性補正は、例えば所定のフィルタを用いて行われるようになっている。なお、ここでいう「周波数特性」とは、周波数と、出力される音声信号におけるゲインおよび位相との関係を示す特性のことを意味している。また、このような周波数特性補正の詳細については、後述する。
【００３５】
遅延補正部１５６Ｌ１，１５６Ｒ１はそれぞれ、前述したメインスピーカ１２１Ｌ，１２１Ｒとサブスピーカ１２２Ｌ，１２２Ｒとの間の相対的な前後配置（距離ｄ１）に起因した、これらのスピーカ間での音声伝播時の遅延差を減少させる補正（遅延補正）を行うものである。具体的には、遅延補正部１５６Ｌ１は、周波数特性補正部１５５Ｌ１から出力される音声信号に対してそのような遅延補正を行うことにより、メインスピーカ１２１Ｌへ供給するメイン音声信号としての出力音声信号Ｌ１outを生成する。同様に、遅延補正部１５６Ｒ１は、周波数特性補正部１５５Ｒ１から出力される音声信号に対してそのような遅延補正を行うことにより、メインスピーカ１２１Ｒへ供給するメイン音声信号としての出力音声信号Ｒ１outを生成する。このような遅延補正は、例えば所定のバッファを用いて行われるようになっている。なお、このような遅延補正の詳細については、後述する。
【００３６】
［映像音響装置１の作用・効果］
（１．基本動作）
この映像音響装置１では、図示しない映像源から供給された入力映像信号Ｖinに基づいて、映像信号処理部１３が所定の映像信号処理を行うことにより、出力映像信号Ｖoutを生成する。そして、表示駆動部１４がこの出力映像信号Ｖoutに基づいて表示駆動を行うことにより、表示部１１において入力映像信号Ｖinに基づく映像表示が行われる。また、図示しない音源から供給された入力音声信号Ｌin，Ｒin，Ｃin，ＳＬin，ＳＲinに基づいて、音声信号処理部１５が所定の音声信号処理を行うことにより、出力音声信号Ｌ１out，Ｒ１out，Ｌ２out，Ｒ２outをそれぞれ生成する。そして、メインスピーカ１２１Ｌ，１２１Ｒではそれぞれ、これらの出力音声信号Ｌ１out，Ｒ１out（メイン音声信号）に基づいて音声を発生する。また、サブスピーカ１２２Ｌ，１２２Ｒではそれぞれ、これらの出力音声信号Ｌ２out，Ｒ２out（サラウンド音声信号）に基づいて音声を発生する。このようにして映像音響装置１において、映像表示がなされるとともに、その映像に対応する音声が出力される。
【００３７】
（２．サブスピーカ１２２Ｌ，１２２Ｒの作用）
ここで本実施の形態では、図２〜図４に示したようにして、メインスピーカ１２１Ｌ，１２１Ｒおよびサブスピーカ１２２Ｌ，１２２Ｒがそれぞれ配置されている。すなわち、サブスピーカ１２２Ｌ，１２２Ｒにおける音声出力面Ｓ２２（Ｌ），Ｓ２２（Ｒ）がいずれも、メインスピーカ１２１Ｌ，１２１Ｒにおける音声出力面Ｓ２１（Ｌ），Ｓ２１（Ｒ）と比べ、表示部１１の外側に向けて傾斜するように配置されている。
【００３８】
これにより映像音響装置１では、例えば図６に示した比較例に係る映像音響装置（映像音響装置１０１）と比べ、以下の作用が得られる。すなわち、この映像音響装置１０１のように、音声出力面Ｓ２２（Ｌ），Ｓ２２（Ｒ）と音声出力面Ｓ２１（Ｌ），Ｓ２１（Ｒ）とが揃う（互いに平行となる）ように配置（いずれも正面を向くように配置）されている場合と比べ、臨場感が得られる視聴領域が広くなる。これは、以下の理由によるものである。まず、サラウンド感に大きく寄与する音声成分（サブスピーカ１２２Ｌ，１２２Ｒから出力される音声成分）が、表示部１１の外側に向かって放射（伝播）され、これがメインスピーカ１２１Ｌ，１２１Ｒから出力されるメイン音声と空間で重畳される。その結果、広い視聴領域に亘って、これまでにないサラウンド感が得られるようになり、臨場感が効果的に得られるようになる。
【００３９】
（３．音声信号処理）
また、映像音響装置１では、音声信号処理部１５において以下のような音声信号処理を行うことにより、臨場感が更に効果的に得られる（サラウンド感が更に増強される）ようにしている。
【００４０】
まず、本実施の形態では、メイン音声信号に対してサラウンド音声信号成分の一部を加算した音声信号を、最終的にメイン音声信号としてメインスピーカ１２１Ｌ，１２１Ｒへ供給するようにしている。具体的には、音声信号処理部１５では、まず、入力音声信号Ｌin，Ｒin，Ｃinに基づいて、音声信号Ｌ０，Ｒ０（基礎メイン音声信号）および音声信号Ｌ２，Ｒ２（サラウンド音声信号）をそれぞれ生成する。そして、これらの音声信号Ｌ０，Ｒ０に対し、音声信号Ｌ２，Ｒ２の成分（サラウンド音声信号成分）を部分的に加算することにより、最終的なメイン音声信号としての音声信号Ｌ１，Ｒ１を生成する。このようにして最終的なメイン音声信号が生成されることにより、臨場感が更に効果的に得られる（サラウンド感が更に増強される）ようになる。
【００４１】
また、このとき音声信号処理部１５では、メインスピーカ１２１Ｌ，１２１Ｒとサブスピーカ１２２Ｌ，１２２Ｒとの間の音量感バランスを調整するための調整係数αを用いて、上記したようなサラウンド音声信号成分の部分的加算を行う。具体的には、減衰器１５２Ｌ１２，１５２Ｒ１２において、所定のダウンミックス係数（Ｋｒ−α×Ｋｓ）を用いたアッテネーションがなされた後に、加算器１５４Ｌ，１５４Ｒ２において部分的加算が行われる。このようにして、Ｋｒから（α×Ｋｓ）の分だけ差し引いた割合でアッテネーションがなされることにより、サラウンド成分が過剰となるのが防止され、スピーカ全体でのトータルのサラウンド成分の音量感バランスが保たれるようになる。
【００４２】
（周波数特性補正）
また、音声信号処理部１５内の周波数特性補正部１５５Ｌ１，１５５Ｌ２，１５５Ｒ１，１５５Ｒ２ではそれぞれ、前述したように、メインスピーカ１２１Ｌ，１２１Ｒまたはサブスピーカ１２２Ｌ，１２２Ｒについての周波数特性補正を行う。ここで、このような周波数特性補正の際に用いられるパラメータ（例えばフィルタ係数）は、例えば図７および図８に示したようにして、設計段階での測定（マイク９を用いた各スピーカからの音声測定）によって予め求めておくようにする。
【００４３】
具体的には、例えば図７に示したように、メインスピーカ１２１Ｌの発音点（音声出力面）の近傍にマイク９を設置して、このメインスピーカ１２１Ｌにおけるインパルス応答を測定し、その逆特性を算出することで、メインスピーカ１２１Ｌにおける周波数特性を求める。同様に、例えば図８に示したように、サブスピーカ１２２Ｌの発音点（音声出力面）の近傍にマイク９を設置して、このサブスピーカ１２２Ｌにおけるインパルス応答を測定し、その逆特性を算出することで、サブスピーカ１２２Ｌにおける周波数特性を求める。なお、メインスピーカ１２１Ｒおよびサブスピーカ１２２Ｒの場合も同様の測定手法を用いることで、それらの周波数特性を求めるようにする。
【００４４】
そして、このようにして予め求められた周波数特性が平坦なものとなるように、周波数特性補正部１５５Ｌ１，１５５Ｌ２，１５５Ｒ１，１５５Ｒ２におけるパラメータ（フィルタ係数等）が設定される。
【００４５】
このようにして設定されたパラメータを用いることにより、周波数特性補正部１５５Ｌ１，１５５Ｒ１ではそれぞれ、例えば図９Ａ，図９Ｂに示したようにして、周波数特性補正を行う。これにより、例えば図９Ａに示した、メインスピーカ１２１Ｌ，１２１Ｒにおける補正前の周波数特性が、例えば図９Ｂに示した補正後の周波数特性のように、平坦なものとなる。また、このようにして周波数特性のうちの振幅特性（ゲイン特性）のみならず、図９Ｂ中には図示されていないが、周波数特性のうち位相特性についても平坦化（平準化）し、音質が向上することになる。
【００４６】
同様に、周波数特性補正部１５５Ｌ２，１５５Ｒ２ではそれぞれ、例えば図１０Ａ，図１０Ａに示したようにして、周波数特性補正を行う。これにより、例えば図１０Ａに示した、サブスピーカ１２２Ｌ，１２２Ｒにおける補正前の周波数特性が、例えば図１０Ｂに示した補正後の周波数特性のように、平坦なものとなる。
【００４７】
このような周波数特性補正が行われることにより、本実施の形態では、周波数特性の乱れ（非平坦性）に起因したサラウンド効果の低減（音の違和感の発生）が抑えられ、臨場感が更に効果的に得られる（サラウンド感が更に増強される）ようになる。
【００４８】
（遅延補正）
更に、音声信号処理部１５内の遅延補正部１５６Ｌ１，１５６Ｒ１ではそれぞれ、前述したように、メインスピーカ１２１Ｌ，１２１Ｒとサブスピーカ１２２Ｌ，１２２Ｒとの間の相対的な前後配置に起因した音声伝播時の遅延差を減少させる遅延補正を行う。ここでも、このような遅延補正の際に用いられるパラメータ（例えばバッファの個数等）は、例えば図１１に示したようにして、設計段階での測定（マイク９を用いた各スピーカからの音声測定）によって予め求めておくようにする。
【００４９】
具体的には、図１１に示したように、各スピーカにおける発音点の近傍にマイク９を設置し、メインスピーカ１２１Ｌ，１２１Ｒとサブスピーカ１２２Ｌ，１２２Ｒとの間の音声伝播時の遅延差（遅延量）を求める。そして、このようにして予め求められた遅延差が減少する（望ましくは無くなる）ように、遅延補正部１５６Ｌ１，１５６Ｒ１におけるパラメータが設定される。
【００５０】
このようにして設定されたパラメータを用いることにより、遅延補正部１５６Ｌ１，１５６Ｒ１ではそれぞれ、例えば図１２Ａ，図１２Ｂに示したようにして、遅延補正を行う。これにより、例えば図１２Ａに示した補正前のような、メインスピーカ１２１Ｌ，１２１Ｒとサブスピーカ１２２Ｌ，１２２Ｒとの間の音声伝播時の遅延差（遅延時間Δｔ）が、例えば図１２Ｂに示した補正後では減少する（ここでは無くなっている）。具体的には、ここでは補正前において、相対的に後方側に配置されているサブスピーカ１２２Ｌ，１２２Ｒでは、メインスピーカ１２１Ｌ，１２１Ｒと比べて遅延時間Δｔによる音声伝播の遅延が生じている。つまり、メインスピーカ１２１Ｌ，１２１Ｒからはタイミングｔ１でユーザへ到達している音声が、サブスピーカ１２２Ｌ，１２２Ｒからは、タイミングｔ２（＝ｔ１＋Δｔ）でユーザへ到達している。したがって、ここでは、メインスピーカ１２１Ｌ，１２１Ｒ側の音声信号の経路上において、遅延補正部１５６Ｌ１，１５６Ｒ１がそれぞれ、図１２Ｂ中の実線の矢印で示したように、音声信号に対して遅延時間Δｔを付加することで、このような遅延差が無くなる。
【００５１】
このような遅延補正が行われることにより、本実施の形態では、メインスピーカ１２１Ｌ，１２１Ｒとサブスピーカ１２２Ｌ，１２２Ｒとの間の相対的な前後配置に起因した音声伝播時の遅延差によるサラウンド効果の低減（音の違和感の発生）が抑えられる。その結果、臨場感が更に効果的に得られる（サラウンド感が更に増強される）ようになる。
【００５２】
なお、例えばこれらの遅延補正部１５６Ｌ１，１５６Ｒ１の前段側に、所定のフィルタが配置されている場合（ここでは周波数特性補正部１５５Ｌ１，１５５Ｒ１においてフィルタが用いられている場合等）には、以下のようにして遅延補正を行うようにするのが望ましい。すなわち、遅延補正部１５６Ｌ１，１５６Ｒ１がそれぞれ、このようなフィルタに起因した音声伝播時の遅延差も考慮して遅延補正を行うようにするのが望ましい。そのようにした場合、より適切に遅延差の減少がなされ、臨場感がより一層効果的に得られるようになる。なお、メインスピーカ１２１Ｌ，１２１Ｒ用の周波数特性補正部１５５Ｌ１，１５５Ｒ１と、サブスピーカ１２２Ｌ，１２２Ｒ用の周波数特性補正部１５５Ｌ２，１５５Ｒ２とで構成の差異がある場合にも、メインスピーカ側とサブスピーカ側とでの遅延差が問題となるため、遅延補正を行うようにしてもよい。ここで、そのような構成の差異とは、例えば、使用されているフィルタのタイプ（ＦＩＲ（Finite Impulse Response）フィルタ，ＩＩＲ（Infinite Impulse Response）フィルタ等）や段数等が異なる場合などが挙げられる。同様に、アンプやアナログフィルタにおいて何らかの周波数特性の変化が起こる場合があるため、そのような場合には、各スピーカのみならず、ＤＳＰ（Digital Signal Processor）、アンプ、アナログフィルタ部分も含めたオーディオシステム全体として周波数特性の補正を行うようにすればよい。
【００５３】
以上のように本実施の形態では、複数のサブスピーカのうちの少なくとも１つ（ここでは各サブスピーカ１２２Ｌ，１２２Ｒ）における音声出力面Ｓ２２（Ｌ），Ｓ２２（Ｒ）を、メインスピーカ１２１Ｌ，１２１Ｒにおける音声出力面Ｓ２１（Ｌ），Ｓ２１（Ｒ）と比べて表示部１１の外側に向けて傾斜するように配置したので、臨場感が得られる視聴領域を広げることができ、臨場感を効果的に得ることが可能となる。
【００５４】
具体的には、例えば、大画面テレビに相応しく、映像と音響とが一体となって画面全体から音が出てくるような効果を得ることができる。また、例えば、サラウンド音源が明確に分離されて、広いエリアに亘って明瞭なサラウンド効果が得られるようになる。更に、例えば、サラウンド成分が空間的に合成されることで、ダイナミックレンジが広く確保できるようになり、歪感の少ない再生が可能となる。
【００５５】
＜変形例＞
続いて、上記実施の形態の変形例（変形例１〜６）について説明する。なお、実施の形態における構成要素と同一のものには同一の符号を付し、適宜説明を省略する。
【００５６】
［変形例１］
図１３は、変形例１に係る映像音響装置（映像音響装置１Ａ）の構成例を模式斜視図で表わしたものである。図１４は、この映像音響装置１Ａにおける各スピーカの配置構成を、上面側から模式的に示したものである。
【００５７】
本変形例の映像音響装置１Ａは、上記実施の形態の映像音響装置１においてメインスピーカ１２１Ｌ，１２１Ｒの配置構成を変更したものに対応しており、他の構成は同様となっている。具体的には、映像音響装置１Ａでは、サブスピーカ１２２Ｌ，１２２Ｒの表示部１１の外側への傾斜配置に加え、メインスピーカのうちの少なくとも１つ（ここでは、各メインスピーカ１２１Ｌ，１２１Ｒ）における音声出力面が、表示部１１の内側に向けて傾斜するように配置されている。
【００５８】
すなわち、図１４に示したように、これらのメインスピーカ１２１Ｌ，１２１Ｒにおける音声出力面Ｓ２１（Ｌ），Ｓ２１（Ｒ）がいずれも、表示面Ｓ１（正面方向）と比べ、表示部１１の内側に向けて傾斜するように配置されている。つまり、音声出力面Ｓ２１（Ｌ），Ｓ２１（Ｒ）がそれぞれ、Ｚ軸を回転軸として表示部１１の内側（右側および左側）に若干回転した配置となっている（図１３参照）。詳細には、図１３に示したように、音声出力面Ｓ２１（Ｌ）の法線Ｌ２１（Ｌ）が、表示面Ｓの法線Ｌ１（Ｚ軸方向）と比べ、Ｚ−Ｘ平面内で表示部１１の内側（右側）に向けて傾斜角θ１Ｌの分だけ傾斜している。同様に、音声出力面Ｓ２１（Ｒ）の法線Ｌ２１（Ｒ）が、表示面Ｓの法線Ｌ１（Ｚ軸方向）と比べ、Ｚ−Ｘ平面内で表示部１１の内側（左側）に向けて傾斜角θ１Ｒの分だけ傾斜している。
【００５９】
なお、このような傾斜角θ１Ｌ，θ１Ｒはそれぞれ、例えば５°〜１０°程度に設定されているのが望ましいが、これらの傾斜角θ１Ｌ，θ１Ｒもまた、前述した傾斜角θ２Ｌ，θ２Ｒと同様に、互いに独立して任意に調整可能となっているようにしてもよい。具体的には、例えば前述した手法と同様に、ユーザによる操作に応じて映像音響装置１Ａに入力された制御信号や、ユーザの位置に応じて動的に生成された制御信号に基づいて、傾斜角θ１Ｌ，θ１Ｒがそれぞれ調整されるようにしてもよい。
【００６０】
このようにして本変形例では、上記実施の形態における作用効果（臨場感が得られる視聴領域を広げ、サラウンド感（臨場感）を向上させることができる）に加え、画面サイズに適した音場形成が可能となるという効果を得ることができる。具体的には、まず、一般に画面サイズが大型化するに従って、表示部の左右に配置されたスピーカの幅寸法は、装置全体の寸法を少しでも小さくすること等のため、できるだけ小さくすることが求められる傾向にある。その場合、幅の狭いスピーカは音の広がりが少ないため、特に中高域の音声による画面中央の定位（音像定位）が不安定になり易い。この中高域の音声による画面中央定位は、例えばアナウンサーの声の定位など、ＴＶ装置における音声として重要な性能である。そこで、本変形例のように、メインスピーカ１２１Ｌ，１２１Ｒにおける音声出力面Ｓ２１（Ｌ），Ｓ２１（Ｒ）を表示部１１の内側に向けて傾斜配置させることで、そのような中高域の音声による画面中央定位を安定化させることが可能となる。つまり、「人間の声の中央定位」と「音の広がり／サラウンド感」とを両立させることが可能となり、音の広がりが良い幅広のスピーカを内蔵するのと同様の効果が得られるようになる。
【００６１】
［変形例２］
図１５および図１６はそれぞれ、変形例２に係る映像音響装置（映像音響装置１Ｂ，１Ｃ）の構成例（各スピーカの配置構成）を、上面側から模式的に示したものである。本変形例の映像音響装置１Ｂ，１Ｃはそれぞれ、映像音響装置１においてメインスピーカ１２１Ｌ，１２１Ｒとサブスピーカ１２２Ｌ，１２２Ｒとの相対的配置を変更したものに対応しており、他の構成は同様となっている。
【００６２】
具体的には、図１５に示した映像音響装置１Ｂでは、映像音響装置１とは逆に、メインスピーカ１２１Ｌ，１２１Ｒがそれぞれ、サブスピーカ１２２Ｌ，１２２Ｒと比べ、距離（相対距離）ｄ２の分だけＺ軸に沿って背面側（Ｚ軸に沿って負方向側）に配置されている。
【００６３】
一方、図１６に示した映像音響装置１Ｃでは、メインスピーカ１２１Ｌ，１２１Ｒおよびサブスピーカ１２２Ｌ，１２２Ｒがいずれも、Ｚ軸に沿って同軸上に配置されており、相対的な前後配置が生じないようになっている。
【００６４】
このように、メインスピーカ１２１Ｌ，１２１Ｒとサブスピーカ１２２Ｌ，１２２Ｒとの相対的配置については、筺体１０内の各部材の配置スペース等に応じて任意に設定することが可能である。
【００６５】
なお、映像音響装置１Ｂの場合、映像音響装置１の場合とは逆に、サブスピーカ１２２Ｌ，１２２Ｒ側の音声信号に対して、音声伝播時の遅延差が減少するような遅延補正を行うようにすればよい。一方、映像音響装置１Ｃの場合、上記したように相対的な前後配置が生じていないため、原理的には音声伝播時の遅延差も生じないことから、遅延補正を行わなくても済むことになる（ただし、各スピーカ以外でのオーディオシステムにおける遅延が無視できるような場合）。
【００６６】
［変形例３］
図１７は、変形例３に係る映像音響装置（映像音響装置１Ｄ）のブロック構成例を表したものである。本変形例の映像音響装置１Ｄは、映像音響装置１において音声信号処理部１５の代わりに音声信号処理部１５Ｄを設けたものに対応しており、他の構成は同様となっている。
【００６７】
音声信号処理部１５Ｄは、音声信号処理部１５において変換処理部１５０を更に設けたものに対応しており、他の構成は同様となっている。
【００６８】
この変換処理部１５０は、図示しない音源から入力される２チャンネルの音声信号（入力音声信号Ｌin，Ｒin）に対して所定のマトリクス変換処理を行うことにより、擬似的に５チャンネルの音声信号Ｌ，Ｒ，Ｃ，ＳＬ，ＳＲ（擬似サラウンド成分）をそれぞれ生成するものである。なお、その後はこれらの音声信号Ｌ，Ｒ，Ｃ，ＳＬ，ＳＲが、音声信号処理部１５における入力音声信号Ｌin，Ｒin，Ｃin，ＳＬin，ＳＲinと同様にして機能するようになっている。
【００６９】
このような構成により本変形例においても、上記実施の形態と同様の作用により同様の効果を得ることが可能である。
【００７０】
［変形例４］
図１８は、変形例４に係る映像音響装置（映像音響装置１Ｅ）のブロック構成例を表したものである。本変形例の映像音響装置１Ｅは、映像音響装置１において音声信号処理部１５の代わりに音声信号処理部１５Ｅを設けたものに対応しており、他の構成は同様となっている。
【００７１】
音声信号処理部１５Ｅは、音声信号処理部１５において、減衰器１５２Ｌ１２，１５２Ｒ１２および加算器１５４Ｌ，１５４Ｒをそれぞれ省いた（設けないようにした）ものに対応しており、他の構成は同様となっている。つまり、この音声信号処理部１５Ｅでは、音声信号処理部１５とは異なり、メイン音声信号に対してサラウンド音声信号成分の一部を加算しないようになっている。したがって、音声信号Ｌ０，Ｒ０（基礎メイン音声信号）をそれぞれ、最終的なメイン音声信号（音声信号Ｌ１，Ｒ１）としている。
【００７２】
このように、場合によっては、メイン音声信号に対してサラウンド音声信号成分の一部を加算せずにメインスピーカ１２１Ｌ，１２１Ｒへ供給するようにしてもよい。
【００７３】
［変形例５］
図１９は、変形例５に係る映像音響装置（映像音響装置１Ｆ）のブロック構成例を表したものである。本変形例の映像音響装置１Ｆは、映像音響装置１において音声信号処理部１５の代わりに音声信号処理部１５Ｆを設けたものに対応しており、他の構成は同様となっている。
【００７４】
音声信号処理部１５Ｆは、音声信号処理部１５において、減衰器１５２Ｌ２，１５２Ｒ２をそれぞれ省く（設けないようにする）とともに、周波数特性補正部１５５Ｌ２，Ｒ２における入力信号をそれぞれ音声信号Ｌ１，Ｒ１に設定したものに対応しており、他の構成は同様となっている。つまり、この音声信号処理部１５Ｆでは、音声信号処理部１５とは異なり、メインスピーカ１２１Ｌ，１２１Ｒとサブスピーカ１２２Ｌ，１２２Ｒとが、互いに同種の音声信号（ここでは、メイン音声信号）に基づいてそれぞれ音声を発生するようになっている。
【００７５】
このような構成の本変形例においても、サブスピーカ１２２Ｌ，１２２Ｒにおける音声出力面Ｓ２２（Ｌ），Ｓ２２（Ｒ）を、メインスピーカ１２１Ｌ，１２１Ｒにおける音声出力面Ｓ２１（Ｌ），Ｓ２１（Ｒ）と比べて表示部１１の外側に向けて傾斜するように配置したので、以下の作用効果を得ることが可能である。すなわち、本変形例では、互いに同種の音声信号（メイン音声信号）に基づいて音声を発生していることから、上記実施の形態のようにメインスピーカ側とサブスピーカ側とでの独立処理時のような（広範な）サラウンド感は得られないものの、上記実施の形態と同様に臨場感が得られる視聴領域を広げることができ、臨場感を効果的に得ることが可能となる。
【００７６】
なお、上記実施の形態で説明したような互いに異種同士の音声信号に基づいて音声を発生するモードと、本変形例のように互いに同種の音声信号に基づいて音声を発生するモードとを、自動または手動によって任意に切り替えることが可能となるようにしてもよい。
【００７７】
［変形例６］
図２０および図２１はそれぞれ、変形例６に係る映像音響装置（映像音響装置１Ｇ，１Ｈ）の構成例（筺体１０内における各スピーカの配置構成例）を、Ｘ−Ｙ平面上で模式的に表したものである。本変形例の映像音響装置１Ｇ，１Ｈは、映像音響装置１においてメインスピーカまたはサブスピーカの個数を変更したものに対応しており、他の構成は同様となっている。
【００７８】
具体的には、図２０に示した映像音響装置１Ｇでは、映像音響装置１における２つのメインスピーカ１２１Ｌ，１２１Ｒの代わりに、１つのメインスピーカ１２１Ｃが表示部１１の下側（センター位置）に配置されており、他の構成は同様となっている。この場合、メインスピーカ１２１Ｃは、メイン音声信号に基づいて中心定位した音声を主に発生するセンタースピーカとして機能することになる。
【００７９】
一方、図２１に示した映像音響装置１Ｈでは、映像音響装置１における２つのサブスピーカ１２２Ｌ，１２２Ｒに加え、もう１つのサブスピーカ１２２Ｃが表示部１１の上側（センター位置）に配置されており、他の構成は同様となっている。この場合、サブスピーカ１２２Ｃは、サラウンド音声信号に基づいて音声を発生するセンタースピーカとして機能することになり、このサブスピーカ１２２Ｃについては、場合によってはその音声出力面を表示部１１の外側に向けて傾斜配置しなくてもよい。
【００８０】
このように、メインスピーカおよびサブスピーカの個数については、これまでに説明したものには限られず、それぞれ任意に設定することが可能である。
【００８１】
［その他の変形例］
以上、実施の形態および変形例を挙げて本開示の技術を説明したが、本技術はこれらの実施の形態等に限定されず、種々の変形が可能である。
【００８２】
例えば、上記実施の形態等では、音声信号処理部のブロック構成を具体的に挙げて説明したが、これらの場合には限られず、他のブロック構成としてもよい。具体的には、例えば場合によっては、周波数特性補正部や遅延補正部、サラウンド信号生成処理部等を設けないようにしてもよい。また、メインスピーカ１２１Ｌ，１２１Ｒおよびサブスピーカ１２２Ｌ，１２２Ｒのうちの一方のみについて、周波数特性補正を行うようにしてもよい。
【００８３】
また、上記実施の形態等では、各スピーカ（メインスピーカ１２１Ｌ，１２１Ｒおよびサブスピーカ１２２Ｌ，１２２Ｒ）が装置内（筺体１０内）に内蔵されている場合を例に挙げて説明したが、これには限られない。すなわち、メインスピーカおよびサブスピーカをそれぞれ、専用のスピーカとして筺体１０に外部から取り付け可能となるように構成してもよい。
【００８４】
なお、本技術は以下のような構成を取ることも可能である。
（１）
映像を表示する表示部と、
前記映像に対応した音声を発生する音声出力面を有する、１または複数のメインスピーカおよび複数のサブスピーカと
を備え、
前記複数のサブスピーカのうちの少なくとも１つにおける前記音声出力面が、前記メインスピーカにおける前記音声出力面と比べて前記表示部の外側に向けて傾斜するように配置されている
映像音響装置。
（２）
前記メインスピーカと前記サブスピーカとが、互いに異種同士の音声信号に基づいてそれぞれ音声を発生する
上記（１）に記載の映像音響装置。
（３）
前記メインスピーカは、メイン音声信号に基づいて音声を発生し、
前記サブスピーカは、サラウンド音声信号に基づいて音声を発生する
上記（２）に記載の映像音響装置。
（４）
入力音声信号に基づいて前記メイン音声信号および前記サラウンド音声信号をそれぞれ生成する音声信号処理部を備え、
前記音声信号処理部は、
前記入力音声信号に基づいて、基礎メイン音声信号および前記サラウンド音声信号をそれぞれ生成すると共に、
前記基礎メイン音声信号に対し、前記サラウンド音声信号成分を部分的に加算することにより、前記メイン音声信号を生成する
上記（３）に記載の映像音響装置。
（５）
前記音声信号処理部は、前記メインスピーカと前記サブスピーカとの間の音量感バランスを調整するための調整係数を用いて、前記サラウンド音声信号成分の部分的加算を行う
上記（４）に記載の映像音響装置。
（６）
前記メインスピーカと前記サブスピーカとが、互いに同種の音声信号に基づいてそれぞれ音声を発生する
上記（１）に記載の映像音響装置。
（７）
前記メインスピーカおよび前記サブスピーカがともに、メイン音声信号に基づいて音声を発生する
上記（６）に記載の映像音響装置。
（８）
前記メインスピーカおよび前記サブスピーカのうちの少なくとも一方についての周波数特性を平坦化する補正を行う周波数特性補正部を備えた
上記（１）ないし（７）のいずれかに記載の映像音響装置。
（９）
前記メインスピーカと前記サブスピーカとが、相対的に前後配置されており、
前記前後配置に起因した、前記メインスピーカと前記サブスピーカとの間での音声伝播時の遅延差を減少させる補正を行う遅延補正部を備えた
上記（１）ないし（８）のいずれかに記載の映像音響装置。
（１０）
前記遅延補正部の前段側に、所定のフィルタが配設されており、
前記遅延補正部は、前記フィルタに起因した音声伝播時の遅延差も考慮して補正を行う
上記（９）に記載の映像音響装置。
（１１）
前記１または複数のメインスピーカのうちの少なくとも１つにおける前記音声出力面が、前記表示部の内側に向けて傾斜するように配置されている
上記（１）ないし（１０）のいずれかに記載の映像音響装置。
（１２）
前記メインスピーカおよび前記サブスピーカのうちの少なくとも一方における傾斜角が、任意に調整可能となっている
上記（１１）に記載の映像音響装置。
（１３）
前記サブスピーカにおける傾斜角が、任意に調整可能となっている
上記（１）ないし（１０）のいずれかに記載の映像音響装置。
（１４）
ユーザによる操作に応じて入力された制御信号、または、ユーザの位置に応じて動的に生成された制御信号に基づいて、前記傾斜角が調整される
上記（１２）または（１３）に記載の映像音響装置。
（１５）
前記サブスピーカは、前記メインスピーカよりも小さい
上記（１）ないし（１４）のいずれかに記載の映像音響装置。
（１６）
前記メインスピーカにおける音声発生帯域は、低周波領域から高周波領域に亘る周波数帯域であり、
前記サブスピーカにおける音声発生帯域は、中低周波領域から高周波領域に亘る周波数帯域である
上記（１５）に記載の映像音響装置。
（１７）
前記メインスピーカおよび前記サブスピーカはともに、前記表示部の右側および左側にそれぞれ配置されており、
前記右側に配置された前記サブスピーカおよび前記左側に配置された前記サブスピーカがいずれも、前記音声出力面が前記表示部の外側に向けて傾斜するように配置されている
上記（１）ないし（１６）のいずれかに記載の映像音響装置。
（１８）
前記表示部、前記メインスピーカおよび前記サブスピーカをそれぞれ収容する筺体を備えた
上記（１）ないし（１７）のいずれかに記載の映像音響装置。
【００８５】
本出願は、日本国特許庁において２０１２年６月２９日に出願された日本特許出願番号２０１２−１４７６４４号を基礎として優先権を主張するものであり、この出願のすべての内容を参照によって本出願に援用する。
【００８６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2014002640.tif 000003
【図２】
2014002640.tif 000004
【図３】
2014002640.tif 000005
【図４】
2014002640.tif 000006
【図５】
2014002640.tif 000007
【図６】
2014002640.tif 000008
【図７】
2014002640.tif 000009
【図８】
2014002640.tif 000010
【図９Ａ】
2014002640.tif 000011
【図９Ｂ】
2014002640.tif 000012
【図１０Ａ】
2014002640.tif 000013
【図１０Ｂ】
2014002640.tif 000014
【図１１】
2014002640.tif 000015
【図１２Ａ】
2014002640.tif 000016
【図１２Ｂ】
2014002640.tif 000017
【図１３】
2014002640.tif 000018
【図１４】
2014002640.tif 000019
【図１５】
2014002640.tif 000020
【図１６】
2014002640.tif 000021
【図１７】
2014002640.tif 000022
【図１８】
2014002640.tif 000023
【図１９】
2014002640.tif 000024
【図２０】
2014002640.tif 000025
【図２１】
2014002640.tif 000026
【国際調査報告】
2014002640.tif 000027
2014002640.tif 000028
2014002640.tif 000029
2014002640.tif 000030